(57)【特許請求の範囲】
【請求項１】
ａ）次式（Ｉ）で表される化合物であるａ成分：
【化１】
0004062767.tif 000010
（式中Ｒ1 ＣＯは炭素数８〜２２のアシル基であり、Ｍはアルカリ金属、アンモニアまたは有機アミンである) と、
ｂ）次式（ＩＩ）で表される化合物であるｂ成分：
【化２】
0004062767.tif 000011
（式中Ｒ2 は炭素数１〜２４の炭化水素基であり、ＡＯは炭素数２〜４のオキシアルキレン基、ｍは５〜７５である) と、
ｃ）次式（ＩＩＩ）で表される化合物であるｃ成分：
【化３】
0004062767.tif 000012
（式中、ｐまたはｒは０であってもよいが、ｐ＋ｒは２〜３０、ｑは２０〜１００である）と、ｄ）次式（ＩＶ）で表される化合物であるｄ成分：
【化４】
0004062767.tif 000013
（式中ｎは１〜３である）と、
ｅ）エチレンジアミン四酢酸またはそのアルカリ金属、アンモニアあるいは有機アミンとの塩であるｅ成分とを含有し、
ａ成分を０．５〜４０重量％、ｂ成分を０〜３０重量％、ｃ成分を０〜３０重量％、ｂ成分とｃ成分との合計が０．５〜３０重量％、ｄ成分を０．１〜２０重量％、ｅ成分を３〜４０重量％で含有することを特徴とする潤滑剤組成物。
【発明の詳細な説明】
【０００１】
【発明の属する技術分野】
本発明は潤滑剤組成物に関する。さらに詳しくは、ビール、酒、牛乳、清涼飲料などの瓶詰、缶詰工程などで使用される潤滑剤組成物に関する。
【０００２】
【従来の技術】
ビール、酒、牛乳、清涼飲料などの瓶詰、缶詰工程などでは、ベルトコンベアーによる瓶、缶の高速移送が行われているが、コンベアーベルトと瓶、缶の間の摩擦が問題となる。このため、従来から、コンベアーベルトと瓶、缶との間の摩擦を低減させる目的で、炭素数８〜２２の飽和もしくは不飽和の脂肪酸石鹸などを用いた潤滑剤が使用されている。
【０００３】
また、摩擦低減及び／または殺菌を目的として、種々の界面活性剤あるいは有機アミンが配合された潤滑剤組成物が開示されている。例えば、特公平４−６７５６号公報にはアルキルリン酸エステル塩ポリオキシエチレン付加物と殺菌性陽イオン性界面活性剤を、特公平４−６７５７号公報にはアルキルリン酸エステル塩ポリオキシエチレン付加物と殺菌性両性界面活性剤を、特開平４−９６９９８号公報にはアルキルリン酸エステル塩と殺菌性陽イオン性界面活性剤を、特開平６−３３００７９号公報には、アルキルリン酸エステルとアルキルアミンを、それぞれ配合した潤滑剤組成物が開示されている。
【０００４】
有機アミンを配合した例として、上記特開平６−３３００７９号公報の他に、特表平６−５０３３７７号公報には酢酸ジアミンを、特公平７−３５５１６号公報には脂肪族アルキルアミン類を、それぞれ配合した潤滑剤組成物が開示されている。
【０００５】
しかし、上記の潤滑剤または潤滑剤組成物（以下、まとめて潤滑剤等という）は、いずれも発泡性を有しているという欠点がある。潤滑剤等が使用される工程における発泡は、自動検瓶機の誤動作、製品のラベルの汚染、泡の飛散による製造環境汚染などの原因となる。
【０００６】
そこで、これらの潤滑剤等の発泡を抑制する手段として、上述の潤滑剤等を潤滑基剤として、これにシリコーン系消泡剤あるいは非イオン性界面活性剤を加える試みがなされている。しかし、シリコーン系消泡剤はコンベアーベルトに付着し、コンベアーベルトを汚染するという問題がある。さらに、非イオン性界面活性剤として、２，４，７，９−テトラメチル−５−デシン−４，7 −ジオール、または２，４，７，９−テトラメチル−５−デシン−４，７−ジオールポリオキシエチレン( １０モル) 等を潤滑剤基剤に配合した潤滑剤組成物が開示されている（例えば、特開平６−１７２７７８号公報）。しかし、これら非イオン性界面活性剤もまた抑泡効果が不十分であり、かつコンベアーベルトを清浄に維持できないという欠点が解消できない。
【０００７】
他方で、特開平９−９５６９２号公報には、石鹸に特定のポリオキシアルキレン化合物を含有させた水溶性潤滑剤組成物が、低泡性であり、潤滑性、清浄性、組成物の安定性が優れていることが開示されている。
【０００８】
ところで、石鹸を含有する潤滑剤組成物は、一般に耐硬水性が低い。すなわち、石鹸は、希釈水中に含まれるカルシウムやマグネシウムなどの多価金属イオンと難溶性の塩を形成しやすい。従って、希釈水中の多価金属イオン濃度が高い場合には潤滑剤希釈液の濁りや難溶性塩の沈殿物が生じる。この難溶性塩は供給ノズルの閉塞などの重大な問題となる。この問題を解決するためは、潤滑剤組成物にエチレンジアミン四酢酸などのキレート剤を配合する必要がある。
【０００９】
しかし、潤滑剤組成物にエチレンジアミン四酢酸を配合すると、潤滑剤組成物の粘度が高くなる傾向がある。そして、潤滑剤組成物の粘度が高くなると、作業性が低下するため好ましくない。例えば、供給ポンプが潤滑剤組成物を定量的に吸い上げることが困難であるため、潤滑剤組成物の性能を充分に発揮することができなくなる。従って、たとえエチレンジアミン四酢酸などのキレート剤を配合したとしても、潤滑剤組成物の粘度をできるだけ低くすることが好ましい。
【００１０】
潤滑剤組成物の粘度を低下させる目的で、エタノール、イソプロパノールなどが使用される。しかし、エタノールやイソプロパノールなどの低引火点溶剤を配合した場合、組成物の保管などに注意が必要となるうえに、これら溶剤に由来する特有の臭気があり、さらに潤滑性が不十分となる。そこで、粘度が低く潤滑性に優れる潤滑剤組成物を提供することを目的として、特表昭５６−５００８１０号公報には、石鹸にネオデカン酸を配合した潤滑剤組成物が開示されている。しかし、この組成物にはネオデカン酸に由来する特有の臭気があり、作業環境に悪影響を与える。
【００１１】
このように、ビール、酒、牛乳、清涼飲料などの瓶詰、缶詰工程などで使用される従来の潤滑剤組成物は、発泡性であるか、あるいは低泡性であるものは潤滑性、清浄性あるいは耐硬水性に欠ける、組成物の安定性が不十分である、粘度が高い、保管に厳しい注意が必要である、特有の臭気があるなどの問題点を抱え、潤滑剤の性能、および使用上の技術面において、まだ、満足できる潤滑剤が得られていないのが現状である。
【００１２】
【発明が解決しようとする課題】
本発明は、上記従来の事情に鑑み、低泡性であり、潤滑性、清浄性、組成物の安定性、耐硬水性が優れており、組成物の粘度が低いうえに保管などに注意を必要とせず、そして特有の臭気がない潤滑剤組成物を提供することを目的としている。
【００１３】
【課題を解決するための手段】
本発明者らは、上記従来の潤滑剤組成物が有する問題点を同時に解決すべく鋭意検討した結果、石鹸を主成分とする潤滑剤組成物に特定の減粘剤およびキレート剤を組み合わせることにより、石鹸の有する特性を損なうことなく、問題点を同時に解決できることを見い出し、本発明に到達したものである。
【００１４】
本発明は、
ａ）次式（Ｉ）で表される化合物であるａ成分：
【００１５】
【化５】
0004062767.tif 000002
【００１６】
（式中Ｒ1 ＣＯは炭素数８〜２２のアシル基であり、Ｍはアルカリ金属、アンモニアまたは有機アミンである) と、
ｂ）次式（ＩＩ）で表される化合物であるｂ成分：
【００１７】
【化６】
0004062767.tif 000003
【００１８】
（式中Ｒ2 は炭素数１〜２４の炭化水素基であり、ＡＯは炭素数２〜４のオキシアルキレン基、ｍは５〜７５である) と、
ｃ）次式（ＩＩＩ）で表される化合物であるｃ成分：
【００１９】
【化７】
0004062767.tif 000004
【００２０】
（式中、ｐまたはｒは０であってもよいが、ｐ＋ｒは２〜３０、ｑは２０〜１００である）と、ｄ）次式（ＩＶ）で表される化合物であるｄ成分：
【００２１】
【化８】
0004062767.tif 000005
【００２２】
（式中ｎは１〜３である）と、
ｅ）エチレンジアミン四酢酸またはそのアルカリ金属、アンモニアあるいは有機アミンとの塩であるｅ成分とを含有し、
ａ成分を０．５〜４０重量％、ｂ成分を０〜３０重量％、ｃ成分を０〜３０重量％、ｂ成分とｃ成分との合計が０．５〜３０重量％、ｄ成分を０．１〜２０重量％、ｅ成分を３〜４０重量％で含有することを特徴とする潤滑剤組成物である。
【００２３】
本発明により、低泡性であり、潤滑性、清浄性、組成物の安定性、耐硬水性が優れており、組成物の粘度が低いうえに保管などに注意を必要とせず、そして特有の臭気がない潤滑剤組成物が提供される。
【００２４】
【発明の実施の形態】
本発明に用いるａ成分の化合物において、式（Ｉ）のＲ1 ＣＯは天然または合成の脂肪酸に由来する、炭素数が８〜２２のアシル基である。例えば、カプリル酸、２−エチルヘキサン酸、ペラルゴン酸、カプリン酸、ウンデカン酸、ラウリン酸、ミリスチン酸、ミリストレイン酸、パルミチン酸、イソパルミチン酸、パルミトレイン酸、マルガリン酸、ステアリン酸、イソステアリン酸、ペトロセリン酸、オレイン酸、リノール酸、α−リノレン酸、γ−リノレン酸、アラキン酸、ゴンドイン酸、べへン酸、セトレイン酸、エルカ酸、ヤシ油脂肪酸、パーム油脂肪酸、菜種油脂肪酸、大豆油脂肪酸、トール油脂肪酸、牛脂脂肪酸、豚脂脂肪酸、ひまし油脂肪酸などに由来するアシル基が挙げられる。脂肪酸に由来するアシル基の炭素数が８未満では潤滑性および清浄性が低下し、２２を超えると組成物の安定性が低下する。好ましくは、炭素数が１２〜１８の、直鎖状の脂肪酸のアシル基である。
【００２５】
式（Ｉ）のＭは、アルカリ金属、アンモニアまたは有機アミンである。アルカリ金属としては、例えば、ナトリウム、カリウム、リチウムなどが挙げられる。有機アミンとしては、例えば、第一アミン、第二アミン、第三アミン、モノアミン、ジアミン、トリアミン、アミノアルコール、またはこれらのポリオキシエチレン付加物などが挙げられる。具体的には、メチルアミン、ジメチルアミン、トリメチルアミン、エチルアミン、ジエチルアミン、トリエチルアミン、メチルエチルアミン、エチレンジアミン、モノエタノールアミン、ジエタノールアミン、トリエタノールアミン、アミノエチルエタノールアミンなどが挙げられる。好ましくは、ナトリウム、カリウム、モノエタノールアミン、ジエタノールアミン、トリエタノールアミンが挙げられる。
【００２６】
ａ成分の化合物は、一種または二種以上を混合して用いてもよい。すなわち、 Ｒ1 が異なる化合物および／またはＭが異なる化合物を混合して用いてもよい。
【００２７】
組成物中のａ成分の配合比率は、約０．５〜４０重量％であり、約０．５重量％未満では潤滑性および清浄性が低下し、約４０重量％を超えると抑泡性および組成物の安定性が低下し、組成物の粘度が高くなる。好ましくは約５〜３０重量％である。
【００２８】
本発明に用いるｂ成分の、式（ＩＩ）の化合物のＲ2 は、炭素数が１〜２４の炭化水素基であり、例えば、メチル基、エチル基、プロピル基、イソプロピル基、ブチル基、イソブチル基、第二ブチル基、第三ブチル基、ペンチル基、イソペンチル基、ネオペンチル基、ヘキシル基、イソヘキシル基、ヘプチル基、イソヘプチル基、オクチル基、２−エチルヘキシル基、ノニル基、イソノニル基、デシル基、１−エチルデシル基、ウンデシル基、ドデシル基、トリデシル基、イソトリデシル基、テトラデシル基、テトラデセニル基、ペンタデシル基、ヘキサデシル基、イソヘキサデシル基、ヘキサデセニル基、ヘプタデシル基、イソセチル基、オクタデシル基、イソステアリル基、オクタデセニル基、ノナデシル基、イコシル基、ヘンイコシル基、ドコシル基、テトラコシル基などが挙げられる。炭素数が１未満のとき（すなわち、Ｒ2 が水素原子のとき）は潤滑性、抑泡性および清浄性が低下する。また、炭素数が２４を超えると組成物の安定性が低下する。好ましくは、炭素数が６〜１５の炭化水素基である。さらに好ましくは、炭素数が６〜１５の分岐状アルキル基である。
【００２９】
また、式（ＩＩ）のＡＯは炭素数２〜４のオキシアルキレン基であり、オキシエチレン基、オキシプロピレン基、オキシブチレン基が挙げられる。炭素数が４を超えると組成物の安定性が低下する。好ましくは、オキシエチレン基、オキシプロピレン基である。例えば、ポリオキシエチレン、ポリオキシエチレン−ポリオキシプロピレンのブロック付加、ポリオキシプロピレン−ポリオキシエチレンのブロック付加、オキシエチレンとオキシプロピレンとのランダム付加、オキシエチレンとオキシブチレンとのランダム付加などが挙げられる。好ましくはポリオキシエチレン、ポリオキシエチレン−ポリオキシプロピレンのブロック付加あるはポリオキシプロピレン−ポリオキシエチレンのブロック付加であり、さらに好ましくはポリオキシプロピレン−ポリオキシエチレンのブロック付加である。
【００３０】
式（ＩＩ）のｍはオキシアルキレンの平均付加モル数で５〜８０であり、５未満では抑泡性が低下し、８０を超えると組成物の安定性が低下する。好ましくは７〜４０であり、さらに好ましくは２０〜３０である。
【００３１】
また、オキシプロピレン基／オキシエチレン基のモル比率が０〜３／２であるのが好ましく、このモル比率では、潤滑性および清浄性がより一層良好となる。さらに好ましくは１／２〜７／５である。ｂ成分は、一種のみ用いてもよく、二種以上混合して用いてもよい。
【００３２】
組成物中のｂ成分の配合比率は０〜約３０重量％である。約３０重量％を超えると潤滑性および組成物の安定性が低下し、組成物の粘度が高くなる。好ましくは約１〜１０重量％である。
【００３３】
本発明に用いるｃ成分の、式（ＩＩＩ）中、ｐ＋ｒはエチレンオキシドの平均付加モル数であり、ｐまたはｒは０であってもよいが、ｐ＋ｒは、２〜３０である。ｐ＋ｒが２未満では潤滑性および清浄性が低下し、３０を超えると抑泡性が低下する。好ましくは６〜１２である。また、式（ＩＩＩ）のｑはプロピレンオキシドの平均付加モル数で、２０〜１００である。ｑが２０未満では抑泡性が低下し、１００を超えると組成物の安定性が低下する。好ましくは、５５〜８０である。また、式（ＩＩＩ）の（ｐ＋ｒ）／ｑは、１／１０〜１／５が好ましい。この比率で、潤滑性、清浄性、および抑泡性がより一層良好となる。
【００３４】
組成物中のｃ成分の配合比率は０〜約３０重量％あり、約３０重量％を超えると潤滑性および組成物の安定性が低下し、組成物の粘度が高くなる。好ましくは約１〜１０重量％である。ｃ成分は、一種のみ用いてもよく、二種以上混合して用いてもよい。
【００３５】
組成物中のｂ成分とｃ成分との配合比率の合計は約０．５〜３０重量％であり、約０．５重量％未満では抑泡性が低下し、約３０重量％を超えると組成物の安定性が低下する。好ましくは約２〜２０重量％である。
【００３６】
本発明に用いるｄ成分の化合物において、式（ＩＶ）中、ｎは１〜３である。ｎが０および４以上では組成物の粘度が高くなる。好ましくは、３−メチル，３−メトキシ−１−ブタノール（ｎ＝１）、または３−メチル，３−エトキシ−１−ブタノール（ｎ＝２）である。
【００３７】
組成物中のｄ成分の配合比率は約０．１〜２０重量％である。約０．１重量％未満では組成物の粘度低下効果が得られず、約２０重量％を超えると潤滑性が低下する。好ましくは、約３〜１５重量％である。ｄ成分は、一種のみ用いてもよく、二種以上混合して用いてもよい。
【００３８】
本発明に用いるｅ成分のエチレンジアミン四酢酸（以下、ＥＤＴＡということもある）の塩は、アルカリ金属塩、アンモニア塩または有機アミン塩である。ＥＤＴＡのすべての酸基が塩を形成しなくともよい。ＥＤＴＡと塩を作るアルカリ金属としては、例えば、ナトリウム、カリウム、リチウムなどが挙げられる。金属塩としては、ＥＤＴＡ２ナトリウム塩が好ましい。ＥＤＴＡと塩を形成する有機アミンとしては、ａ成分で例示したと同じ有機アミンが挙げられる。好ましくは、モノエタノールアミン、ジエタノールアミン、トリエタノールアミンである。ＥＤＴＡのアミン塩としては、ＥＤＴＡ４モノエタノールアミン塩が好ましい。
【００３９】
組成物中のｅ成分の配合比率は約３〜４０重量％である。約３重量％未満では耐硬水性が低下し、約４０重量％を超えると組成物の安定性が低下し、組成物の粘度が高くなる。ＥＤＴＡ塩は、一種のみ用いてもよく、二種以上混合して用いてもよい。
【００４０】
本発明の潤滑剤組成物には、必要に応じて殺菌剤、抗菌剤、消泡剤、発泡剤、洗浄剤、分散剤、湿潤剤、防錆剤、着色防止剤、着色料、香料、可溶化剤、クラック防止剤、その他の界面活性剤などを含有していてもよい。
【００４１】
本発明の潤滑剤組成物は、これを適宜水で希釈した状態で、コンベアーベルト表面に供給する。
【００４２】
【発明の効果】
本発明の潤滑剤組成物は、低泡性であり、潤滑性、清浄性、組成物の安定性、耐硬水性が優れており、粘度が低いうえに保管などに注意を必要とせず特有の臭気がないため、ビール、酒、牛乳、清涼飲料などの瓶詰、缶詰工程などで使用される潤滑剤組成物としてきわめて有用である。
【００４３】
【実施例】
本発明を実施例により具体的に説明する。なお、以下において、％とあるのは重量％である。  表１に、実施例で用いた、本発明に用いるｂ成分である化合物１〜７、および本発明に用いるｂ成分の範囲外の化合物８〜９を示した。なお、表１および次の表２において、ＰＯはオキシプロピレン基を、ＥＯはオキシエチレン基を、そしてＢＯはオキシブチレン基を、それぞれ表す。
【００４４】
【表１】
0004062767.tif 000006
【００４５】
表２に、実施例で用いた、本発明に用いるｃ成分である化合物１０〜１４および本発明に用いるｃ成分の範囲外の化合物１５を示した。
【００４６】
【表２】
0004062767.tif 000007
【００４７】
（実施例１〜１２）
表３に示したａ成分、表１に示したｂ成分、表２に示したｃ成分、表３に示したｄ成分、および表３に示したｅ成分を用いて、表３に示した配合組成により１２種の潤滑剤組成物を調製した。
【００４８】
（比較例１〜１０）
表４に示したａ成分およびａ成分の範囲外の比較化合物、表１に示したｂ成分およびｂ成分の範囲外の比較化合物、表２に示したｃ成分およびｃ成分の範囲外の比較化合物、表４に示したｄ成分およびｄ成分の範囲外の比較化合物、表４に示したｅ成分およびｅ成分の範囲外の比較化合物を用いて、表４に示した配合組成により１０種の潤滑剤組成物を調製した。
【００４９】
実施例１〜１２および比較例１〜１０の各潤滑剤組成物について、下記の試験方法で、潤滑性、抑泡性、清浄性、組成物の安定性、耐硬水性、引火点、組成物の粘度の測定を行った。また、臭気を評価した。これらの試験結果を、表3 および表４に示した。
【００５０】
＜潤滑性＞
潤滑剤組成物を水で４００倍に希釈し、希釈液を作成した。５０ｍ／分の速度でステンレス製コンベアーベルトの運転を開始し、上記希釈液を１００ｍｌ／分の速度でコンベアーベルト上に滴下しながら、バネばかりに接続した３本のビール瓶（３．７ｋｇ）をコンベアーベルト上に置き、１０分後にバネばかりが示す数値（単位ｇ）を求め、５００ｇ以下の場合を潤滑性が良好であると評価した。
【００５１】
＜抑泡性＞
上記潤滑性試験終了時に、コンベアーベルト上の発泡状態を目視により、つぎのように評価した。
Ａ：ほとんど発泡していない
Ｂ：やや発泡するが、実使用上問題とならない
Ｃ：発泡するが、実使用上問題とならない
Ｄ：かなり発泡する
【００５２】
＜清浄性＞
コンベアーベルトに付着する汚垢は、コンベアーベルト由来の金属粉が主成分であるので、酸化鉄懸濁液の安定性により清浄性を評価した。
内径１２ｍｍ、全長１８０ｍｍの栓付き試験管に酸化鉄( 片山化学工業( 株) 一級) ０．５ｇと上記潤滑剤組成物の希釈液２５ｍｌとを入れ、３０秒間上下に振とうした後、静置した。下式により、１６時間後の上澄層の高さと希釈液層の高さとの比（単位：％）を求め、４０％未満の場合を清浄性が良好であると評価した。
清浄性（％)=（上澄み層の高さ／希釈液層の高さ）ｘ１００
【００５３】
＜組成物の安定性＞
潤滑剤組成物を、−５℃、２０℃および４０℃の条件下に３０日間保存したのち、外観を目視により、次のように評価した。
○：いずれの温度でも分離、濁り、沈澱などがみられない・・・組成物の安定性が良好
×：いずれかの温度で分離、濁り、沈澱などがみられる・・・組成物の安定性が不良
【００５４】
＜耐硬水性＞
塩化カルシウム（二水塩) ８８．２ｍｇ、塩化マグネシウム（六水塩）８１．２ｍｇを１０００ｍｌのイオン交換水に溶かして、人工硬水を調製した。潤滑剤組成物を人工硬水で４００倍に希釈し、２５℃の条件下に７２時間保存したのち、外観を目視により次のように評価した。
○：透明である・・・耐硬水性が良好
×：濁り、沈殿などがみられる・・・耐硬水性が不良
【００５５】
＜引火点＞
ＪＩＳ  Ｋ  ２２６５に基づいて、潤滑剤組成物の引火点を測定した。潤滑剤組成物はいずれも水溶液であるため、引火点が１００℃以上の場合を良好であると評価した。
○：引火点が１００℃以上である
【００５６】
＜臭気＞
潤滑剤組成物５０ｇを１００ｍｌガラス製容器に充填、密閉して室温放置し、一日後の臭気を官能評価した。
○：特有の臭気がない
×：特有の臭気がある
【００５７】
＜粘度＞
潤滑剤組成物の粘度( 単位ｃｐｓ．) を、Ｂ型粘度計を用いて２５℃で測定した。１４０ｃｐｓ．以下の場合を、取り扱い性が良好であると評価した。
【００５８】
【表３】
0004062767.tif 000008
【００５９】
【表４】
0004062767.tif 000009
【００６０】
表３および表４の結果から明らかなように、本発明の潤滑剤組成物は、低泡性であり、潤滑性、清浄性、組成物の安定性、耐硬水性が優れており、組成物の粘度が低いうえに保管などに注意を必要とせず特有の臭気がないことが明らかである。
【００６１】
これに対して、比較例１はｂ成分、ｃ成分およびｅ成分を含有していないため、抑泡性、清浄性、耐硬水性が不十分である；
比較例２はｅ成分を含まないため、耐硬水性に欠ける；
比較例３はｅ成分を含むため耐硬水性が改善されるものの、ｄ成分を含まないため、粘度が著しく高く、組成物の安定性が不十分である；
比較例４はｅ成分を含むため耐硬水性は改善されるものの、ａ成分が本発明の範囲外の化合物であるために潤滑性、清浄性が不十分であるうえ、ｄ成分も本発明の範囲外の化合物であるため、引火点も低く保管などに注意を必要とし、特有の臭気がある；
比較例５は、比較例４と同様に、ｅ成分を含むため耐硬水性は改善されるものの、ａ成分が本発明の範囲外の化合物であるために潤滑性、清浄性に欠けるうえ、ｄ成分も本発明の範囲外の化合物であるため、保管などに注意を必要とし、特有の臭気がある；
比較例６はｅ成分が本発明の範囲外の化合物であるため耐硬水性が悪く、またｂ成分が本発明の範囲外の化合物であるために抑泡性が不十分である。
比較例７はｂ成分およびｄ成分が本発明の範囲外の化合物であるために抑泡性が不十分であり、粘度が若干高いうえ、特有の臭気がある；
比較例８はｃ成分が本発明の範囲外の化合物であるために抑泡性が不十分である；
比較例９はｂ成分とｃ成分との合計が本発明の範囲外の配合比率であるために潤滑性、組成物の安定性が不十分であり組成物の粘度が高い；および
比較例１０は公知の潤滑剤組成物であるが、潤滑剤としての諸性能を満足させるものではない；
ことがわかり、本発明の組成物の効果が確認された。